(57)【特許請求の範囲】
【請求項１】
受信装置本体に対して着脱自在に接続されて、被検体内導入装置から送信される無線信号を受信するアンテナと、
前記被検体内導入装置から送信される無線信号の受信に伴う記録動作の開始を検出する動作開始検出手段と、
前記受信装置本体に対する前記アンテナの接続状態を検出する接続状態検出手段と、
ユーザに対して警告を発する警告手段と、
記録動作開始後に前記アンテナの非接続が検出された場合に前記警告手段を動作させる制御手段と、
を備えたことを特徴とする受信装置。
【請求項２】
記録動作開始後の経過時間を計測する計測手段をさらに備え、
前記制御手段は、記録動作開始後であってあらかじめ設定された所定時間経過前に前記アンテナの非接続が検出された場合には前記警告手段を動作させることを特徴とする請求項１に記載の受信装置。
【請求項３】
外部データ処理機との接続の有無を検出する外部機接続検出手段をさらに備え、
前記制御手段は、記録動作開始後であって前記外部データ処理機が接続されていない状態で前記アンテナの非接続が検出された場合には前記警告手段を動作させることを特徴とする請求項１又は２に記載の受信装置。
【請求項４】
前記警告手段は、表示部の警告表示により警告を発することを特徴とする請求項１〜３のいずれか一つに記載の受信装置。
【請求項５】
前記警告手段は、発光素子の点灯又は点滅により警告を発することを特徴とする請求項１〜３のいずれか一つに記載の受信装置。
【請求項６】
前記警告手段は、警告音により警告を発することを特徴とする請求項１〜３のいずれか一つに記載の受信装置。
【請求項７】
前記警告手段は、前記受信装置本体の振動により警告を発することを特徴とする請求項１〜３のいずれか一つに記載の受信装置。
【請求項８】
同期信号検出手段をさらに備え、
前記動作開始検出手段は、前記同期信号検出手段が同期信号を検出したときに記録動作が開始されたことを検出することを特徴とする請求項１〜７のいずれか一つに記載の受信装置。
【請求項９】
受信したデータを保存する記録媒体をさらに備え、
前記動作開始検出手段は、前記記録媒体が初期化されているときには記録動作の開始を検出せず、前記記録媒体にデータが書き込まれているときには記録動作の開始を検出することを特徴とする請求項１〜７のいずれか一つに記載の受信装置。
【発明の詳細な説明】
【技術分野】
【０００１】
本発明は、被検体内に導入されるカプセル型内視鏡等の被検体内導入装置から送信される無線信号を被検体外のアンテナを用いて受信する受信装置に関するものである。
【背景技術】
【０００２】
近年、内視鏡の分野では、撮像機能と無線通信機能とが装備されたカプセル型内視鏡が登場している。このカプセル型内視鏡は、観察（検査）のために被検体である被検者の口から飲み込まれた後、被検者の生体（人体）から自然排出されるまでの観察期間、たとえば食道、胃、小腸などの臓器の内部（体腔内）をその蠕動運動に伴って移動し、撮像機能を用いて所定の撮像レートで順次撮像する構成を有する。
【０００３】
また、これら臓器内を移動するこの観察期間、カプセル型内視鏡によって体腔内で撮像された画像データは、順次無線通信などの無線通信機能により、被検者の外部に送信され、外部の受信機内に設けられたメモリに蓄積される。被検者がこの無線通信機能とメモリ機能を備えた受信機を携帯することにより、被検者は、カプセル型内視鏡を飲み込んだ後、排出されるまでの観察期間であっても、不自由を被ることなく自由に行動が可能になる。観察後は、医者もしくは看護師によって、受信機のメモリに蓄積された画像データに基づいて、体腔内の画像をディスプレイなどの表示手段に表示させて診断を行うことができる（特許文献１参照）。
【０００４】
画像データを受信する場合、一般に受信機では、カプセル型内視鏡から送信される画像信号を受信するための複数のアンテナを被検者の外部に分散配置し、受信する受信強度が強い一つのアンテナを選択切り替えして、画像信号を受信している。たとえば特許文献１には、被検体の外部に配置された複数のアンテナの受信切り替えを行い、各アンテナが受信する電界強度をもとに、画像信号の発信源である被検体内のカプセル型内視鏡の位置を探知する受信機が記載されている。
【０００５】
【特許文献１】特開２００３−１９１１１号公報
【発明の開示】
【発明が解決しようとする課題】
【０００６】
ここで、受信機に接続されるアンテナは、被検体外に配置されて受信機に接続される比較的長いケーブルを有するため、検査時以外の時、たとえば被検体へのアンテナ装着時にはケーブルが邪魔になったりしないように、受信機から取り外し可能とされている。より具体的には、複数のアンテナに接続されたそれぞれのケーブルをコネクタによりユニット化して受信機に対して着脱自在に接続するように構成され、アンテナを被検体外に配置させた後、アンテナのケーブルのコネクタ部分を受信機に接続して検査を開始させるようにしている。
【０００７】
しかしながら、カプセル型内視鏡による観察期間中、被験者は受信機を携帯することにより自由に行動することが可能であるが、何らかのはずみで、アンテナのケーブルのコネクタ部分が受信機から外れてしまうことがあり得る。アンテナが外れた場合、受信機は、カプセル型内視鏡から送信される体腔内撮像データを受信できなくなってしまい、逐次得られる検査用の貴重な体腔内画像データを失ってしまうこととなる。つまり、カプセル型内視鏡による折角の検査が無駄になってしまう。従来は、このような事態の発生に対する有効な対策が講じられていないものである。
【０００８】
本発明は、上記に鑑みてなされたものであって、アンテナが外れた場合のデータ損失を極力少なく抑えることができるように対処可能な受信装置を提供することを目的とする。
【課題を解決するための手段】
【０００９】
上述した課題を解決し、目的を達成するために、請求項１に係る受信装置は、受信装置本体に対して着脱自在に接続されて、被検体内導入装置から送信される無線信号を受信するアンテナと、前記被検体内導入装置から送信される無線信号の受信に伴う記録動作の開始を検出する動作開始検出手段と、前記受信装置本体に対する前記アンテナの接続状態を検出する接続状態検出手段と、ユーザに対して警告を発する警告手段と、記録動作開始後に前記アンテナの非接続が検出された場合に前記警告手段を動作させる制御手段と、を備えたことを特徴とする。
【００１０】
請求項２に係る受信装置は、上記発明において、記録動作開始後の経過時間を計測する計測手段をさらに備え、前記制御手段は、記録動作開始後であってあらかじめ設定された所定時間経過前に前記アンテナの非接続が検出された場合には前記警告手段を動作させることを特徴とする。
【００１１】
請求項３に係る受信装置は、上記発明において、外部データ処理機との接続の有無を検出する外部機接続検出手段をさらに備え、前記制御手段は、記録動作開始後であって前記外部データ処理機が接続されていない状態で前記アンテナの非接続が検出された場合には前記警告手段を動作させることを特徴とする。
【００１２】
請求項４に係る受信装置は、上記発明において、前記警告手段は、表示部の警告表示により警告を発することを特徴とする。
【００１３】
請求項５に係る受信装置は、上記発明において、前記警告手段は、発光素子の点灯又は点滅により警告を発することを特徴とする。
【００１４】
請求項６に係る受信装置は、上記発明において、前記警告手段は、警告音により警告を発することを特徴とする。
【００１５】
請求項７に係る受信装置は、上記発明において、前記警告手段は、前記受信装置本体の振動により警告を発することを特徴とする。
【発明の効果】
【００１６】
本発明に係る受信装置によれば、記録動作開始後にアンテナの非接続が検出された場合には警告手段を動作させてアンテナが外れている旨の警告をユーザに対して発するようにしたので、検査開始前等のようにアンテナが外れていても支障ない場合には警告を発することなく、検査中のようにアンテナ使用が必須な状況でアンテナ外れが生じた場合にはその旨を被検体等のユーザに知らせることで、アンテナの接続し直し等を促すことができ、アンテナ外れが生じた場合のデータ損失を極力少なく抑えることができるという効果を奏する。
【発明を実施するための最良の形態】
【００１７】
以下に、本発明に係る受信装置の実施の形態を図面に基づいて詳細に説明する。なお、本発明は、実施の形態に限定されるものではなく、本発明の要旨を逸脱しない範囲で種々の変更実施の形態が可能である。
【００１８】
（実施の形態１）
図１は、本発明に係る受信装置の好適な実施の形態である無線型被検体内情報取得システムの全体構成を示す模式図である。この無線型被検体内情報取得システムは、送信装置である被検体内導入装置の一例としてカプセル型内視鏡を用いている。図１において、無線型被検体内情報取得システムは、無線受信機能を有する受信装置２と、被検体１内に導入され、体腔内画像を撮像して受信装置２に対して映像信号などのデータ送信を行うカプセル型内視鏡３とを備える。また、無線型被検体内情報取得システムは、受信装置２が受信した映像信号に基づいて体腔内画像を表示する表示装置４と、受信装置２と表示装置４との間でデータの受け渡しを行うための携帯型記録媒体５とを備える。受信装置２は、被検体１の体外表面に貼付される複数の受信用アンテナＡ１〜Ａｎを有するアンテナユニット２ａと、この受信用アンテナＡ１〜Ａｎを介して受信された無線信号の処理などを行う受信装置本体としての受信本体ユニット２ｂとを備え、これらユニットは、コネクタなどを介して着脱可能に接続される。なお、受信用アンテナＡ１〜Ａｎは、たとえば被検体が着用可能な受信ジャケットに備え付けられ、被検体１は、この受信ジャケットを着用することによって、受信用アンテナＡ１〜Ａｎを装着するようにしてもよい。また、この場合、受信用アンテナＡ１〜Ａｎは、ジャケットに対して着脱可能なものであってもよい。
【００１９】
表示装置４は、カプセル型内視鏡３によって撮像された体腔内画像などを表示するためのものであり、携帯型記録媒体５によって得られるデータに基づいて画像表示を行うワークステーションなどのような構成を有する。具体的には、表示装置４は、ＣＲＴディスプレイ、液晶ディスプレイなどによって直接画像を表示する構成としてもよいし、プリンタなどのように、他の媒体に画像を出力する構成としてもよい。
【００２０】
携帯型記録媒体５は、コンパクトフラッシュ（登録商標）メモリなどが用いられ、受信本体ユニット２ｂ及び表示装置４に対して着脱可能であって、両者に対して挿着された時に情報の出力又は記録が可能な構造を有する。本実施の形態では、携帯型記録媒体５は、たとえば検査前には、ワークステーションの表示装置４に挿着されて検査ＩＤなどの識別情報が記憶され、さらに検査の直前には、受信本体ユニット２ｂに挿着され、この受信本体ユニット２ｂによって、この識別情報が読み出されて受信本体ユニット２ｂ内に登録される。また、カプセル型内視鏡３が被検体１の体腔内を移動している間は、携帯型記録媒体５は、被検体１に取り付けられた受信本体ユニット２ｂに挿着されてカプセル型内視鏡３から送信されるデータを記録する。そして、カプセル型内視鏡３が被検体１から排出された後、つまり、被検体１の内部の撮像が終了した後には、受信本体ユニット２ｂから取り出されて表示装置４に挿着され、この表示装置４によって、携帯型記録媒体５に記録されたデータが読み出される構成を有する。たとえば、受信本体ユニット２ｂと表示装置４とのデータの受け渡しを、携帯型記録媒体５によって行うことで、被検体１が体腔内の撮影中に自由に動作することが可能となり、また、表示装置４との間のデータの受け渡し期間の短縮にも寄与している。なお、受信本体ユニット２ｂと表示装置４との間のデータの受け渡しは、受信本体ユニット２ｂに内蔵型の他の記録装置、たとえばハードディスクを用い、表示装置４との間のデータの受け渡しのために、双方を有線又は無線接続するように構成してもよい。
【００２１】
次に、図２の模式図及び図３のブロック図を用いて受信装置の構成について説明する。受信装置２は、カプセル型内視鏡３から無線送信された体腔内の画像データを受信する機能を有する。図２及び図３に示すように、受信装置２は、被検体１によって装着携帯可能な形状を有し、アンテナユニット２ａと、このアンテナユニット２ａと着脱可能に接続される受信本体ユニット２ｂとから構成される。アンテナユニット２ａは、カプセル型内視鏡３から送信された無線信号を受信用アンテナＡ１〜Ａｎを介して受信して、映像信号に復調して出力し、受信本体ユニット２ｂは、この映像信号の信号処理などを行う。
【００２２】
受信本体ユニット２ｂの外表面には、図２に示すように、電力供給用の電池を収納する電力供給部としてのバッテリーパック１７が着脱可能に取り付けられており、このバッテリーパック１７が受信本体ユニット２ｂに装着されると、電池と受信本体ユニット２ｂの後述する内部機器とが電気的に接続されて、これら内部機器への電力供給が可能な状態となる。この外表面の前面には、たとえばＬＣＤなどの液晶ディスプレイからなる表示手段及び警告手段としての表示部１５が設けられ、たとえば上記登録された検査ＩＤなどの識別情報の表示を行っている。また、外表面の前面には、操作スイッチ１８が設けられ、たとえば表示部１５に表示させる情報の選択や表示部１５の色調の調整などを可能にしている。また、この外表面の側面には、携帯型記録媒体５の図示しない挿入部が設けられ、挿入された携帯型記録媒体５を着脱可能に保持し、受信本体ユニット２ｂによる画像データの記録を可能にしている。さらに、この外表面の上面には、受信用アンテナＡ１〜Ａｎのそれぞれのケーブルを着脱自在に接続するための接続部１９が設けられている。なお、アンテナユニット２ａの筐体部２０は、上記接続部１９に接続する不図示のコネクタを有する。
【００２３】
アンテナユニット２ａは、図３に示すように、受信用アンテナＡ１〜Ａｎのいずれか一つを選択的に切り替える接続切替処理を行う切替スイッチＳＷと、この切替スイッチＳＷの後段に接続され、切替スイッチＳＷによって切替接続された受信用アンテナＡ１〜Ａｎからの無線信号を増幅し、送信情報としての映像信号に復調する受信回路１１を備える。
【００２４】
受信本体ユニット２ｂは、アンテナユニット２ａが復調した映像信号を受信して信号処理する。図２に示すように、受信本体ユニット２ｂは、接続部１９と筐体部２０の不図示のコネクタを介して、受信回路１１の後段に接続される信号処理回路１３及びＡ／Ｄ変換部１４と、表示部１５と、各種情報を記憶する記憶部１６と、携帯型記録媒体５と、これらの各構成部位を制御する制御部Ｃと、受信本体ユニット２ｂとアンテナユニット２ａとに電力供給を行う電力供給部１７とを備える。
【００２５】
信号処理回路１３は、アンテナユニット２ａの受信回路１１で復調された映像信号データに対して、シリアル−パラレル変換、画素補間処理、画像圧縮処理などの信号処理を行う。制御部Ｃは、アンテナの切替制御を行う切替制御部Ｃ１と、表示部１５を通じてユーザに対してアンテナ外れの警告表示を行うか否かを制御する制御手段としての警告制御部Ｃ２と、アンテナユニット２ａの筐体部２０の受信本体ユニット２ｂの接続部１９に対する接続状態を検出する接続状態検出手段としての接続状態検出部Ｃ３とを備える。
【００２６】
受信回路１１は、切替スイッチＳＷから出力された無線信号を増幅し、復調した映像信号Ｓ１を信号処理回路１３に出力するとともに、増幅した無線信号の信号強度を示す受信強度信号Ｓ２をＡ／Ｄ変換部１４に出力する。信号処理回路１３によって処理された画像データは、制御部Ｃによって携帯型記録媒体５に記憶されるとともに、必要に応じて表示部１５に画像表示される。Ａ／Ｄ変換部１４によってデジタル信号に変換された受信強度信号Ｓ２は、制御部Ｃに取り込まれる。切替制御部Ｃ１は、受信用アンテナＡ１〜Ａｎを順次切り替えて得たこの受信強度信号Ｓ２をもとに、最も大きい信号強度で受信した受信用アンテナを、画像データを取得するための受信用アンテナとして選択するとともに、このアンテナへの切り替えを指示する切替信号Ｓ３を切替スイッチＳＷに出力する。また、制御部Ｃは、選択された受信用アンテナと対応付けて、画像データとともに、各受信用アンテナで受信した信号強度を携帯型記録媒体５に記憶する。この記憶された各受信用アンテナの信号強度は、画像データが受信されたときの被検体内のカプセル型内視鏡３の位置を算出するための情報となる。
【００２７】
接続状態検出部Ｃ３は、アンテナユニット２ａの筐体部２０が受信本体ユニット２ｂの接続部１９に対して接続されているか否かを検出するためのものであって、本実施の形態では、たとえばアンテナユニット２ａのケーブル内に映像信号Ｓ１や受信強度信号Ｓ２用のＲＦ信号ラインとは別に断線検出用（アンテナ接続検出用）の信号線２１を設け、この信号線２１のレベル状態により接続／非接続（アンテナ外れ）を検出する。たとえば、本実施の形態では、接続状態検出部Ｃ３は、信号線２１のレベルがＬレベルの場合には接続状態、Ｈレベルの場合には非接続状態（アンテナ外れ）として検出する。
【００２８】
警告制御部Ｃ２は、所定の条件下で、接続状態検出部Ｃ３によってアンテナ外れが検出された場合には、「アンテナが外れています。接続し直してください」等の表示部１５の警告表示による警告を発するように表示部１５を動作制御する。
【００２９】
ここで、警告を発するか否かの所定の条件は、カプセル型内視鏡３による検査の流れの中において、アンテナＡ１〜Ａｎ使用が必須な状況であるか否かに応じて判断される。まず、検査開始に先立ち、患者データを受信本体ユニット２ｂの記憶部１６等にセットし、次いで、アンテナＡ１〜Ａｎを被検体１の所定部位に装着セットする。この段階では、アンテナＡ１〜Ａｎが受信本体ユニット２ｂに対して非接続であっても正常な状態である（逆にいえば、このような操作時の作業性等を考慮してアンテナＡ１〜Ａｎが受信本体ユニット２ｂに対して取外し可能とされている）。その後、アンテナＡ１〜Ａｎの筐体部２０を受信本体ユニット２ｂの接続部１９に対して装着して接続状態とすることで、検査を開始する。検査開始後においては、アンテナＡ１〜Ａｎを通じてカプセル型内視鏡３から無線送信される体腔内撮像データを受信して携帯型記録媒体５に順次記録するものであり、この段階で何らかの要因によりアンテナ外れ（筐体部２０外れ）が生じた場合は異常である。
【００３０】
すなわち、アンテナ外れがあっても、検査開始（体腔内画像の取得を開始）する前に警告を発するのは好ましくなく、本実施の形態では、アンテナ使用が必須の検査開始後にアンテナ外れが生じた場合に異常として警告を発するようにする。図４に示す概略フローチャートを参照して、本実施の形態のアンテナ外れ時の警告制御例について説明する。この処理は、受信装置２（受信本体ユニット２ｂ）の電源スイッチが投入されている状況で実行される（ステップＳ１００：Ｙｅｓ）。次いで、検査開始後であるか否かの判定として、記録動作が開始されているか否かを判定する（ステップＳ１０１）。この判定処理例としては、たとえば電源投入後、カプセル型内視鏡３から送られてくる無線信号中からトリガ用の同期信号を検出しない段階では、記録動作開始前と判定し（ステップＳ１０１：Ｎｏ）、一旦、同期信号を検出したら、それ以降は記録開始後と判定する（ステップＳ１０１：Ｙｅｓ）。また、検査開始前には携帯型記録媒体５は、フォーマット初期化されるので、携帯型記録媒体５への書き込み状況を見ることで、携帯型記録媒体５に対して体腔内画像データがまだ書き込まれていない段階では、記録動作開始前と判定するようにしてもよい。記録動作開始前の場合であれば（ステップＳ１０１：Ｎｏ）、アンテナ外れがあったとしても正常であり、ユーザに対する警告を要しないため、表示部１５による警告は行わないように制御する（ステップＳ１０２）。
【００３１】
一方、記録動作開始後の場合であれば（ステップＳ１０１：Ｙｅｓ）、接続状態検出部Ｃ３による検出結果を参照することで、アンテナＡ１〜Ａｎの筐体部２０が非接続状態（アンテナ外れ状態）になっているか否かを判定する（ステップＳ１０３）。アンテナ外れが生じていない場合は（ステップＳ１０３：Ｎｏ）、正常な状態であり、ユーザに対する警告を要しないため、表示部１５による警告は行わないように制御する（ステップＳ１０４）。アンテナ外れが生じていた場合は（ステップＳ１０３：Ｙｅｓ）、異常な状態であり、「アンテナが外れています。接続し直してください」等の表示部１５の警告表示による警告を発するように表示部１５を動作制御する（ステップＳ１０５）。これにより、ユーザ（被検体１や医師あるいは看護師等）は、アンテナＡ１〜Ａｎの筐体部２０を受信本体ユニット２ｂの接続部１９に接続し直す等の適正な対応を迅速に採ることができ、アンテナ外れが生じた場合のデータ損失を極力少なく抑えることができる。
【００３２】
なお、記録動作開始の判定（ステップＳ１０１）とアンテナ非接続との判定（ステップＳ１０３）の順序は、逆とし、アンテナ非接続の判定を先に行うようにしてもよい。また、アンテナ非接続の旨の警告は、表示部１５による警告表示に限らず、たとえば、ＬＥＤ等の発光素子を用いて点灯又は点滅により警告を発するようにしてもよく、あるいは、ブザーやスピーカー等を用いて警告音により警告を発するようにしてもよく、さらには、受信本体ユニット２ｂ中に振動子等を内蔵しておき、受信本体ユニット２ｂを振動させることにより警告を発するようにしてもよい。
【００３３】
（実施の形態２）
本発明の実施の形態２を、図５を参照して説明する。図５は、本実施の形態のアンテナ外れ時の警告制御例を示す概略フローチャートである。実施の形態１では、記録動作開始後にアンテナ外れが検出された場合に警告を発するので、たとえば、カプセル型内視鏡３が被検体１から排出された後（この段階では、体腔内画像は取得できない状態にある）でも、受信本体ユニット２ｂの電源スイッチをオフさせる前であれば、アンテナ外れが検出されると、警告が発せられる。しかしながら、この段階では、もはや体腔内画像データの取得は終了済みであり、アンテナ外れがあっても警告を発する必要はない。
【００３４】
そこで、本実施の形態では、カプセル型内視鏡３を用いた１回の検査は、記録開始後一定時間、たとえば８時間程度で終了し、体腔外に排出されることから、タイマ２２（図３参照）を用いて、記録動作開始後の経過時間を監視し、記録開始後であっても一定時間経過後であれば、アンテナ外れが生じても警告を発しないようにしたものである。
【００３５】
この処理は、受信装置２（受信本体ユニット２ｂ）の電源スイッチが投入されている状況で実行される（ステップＳ２００：Ｙｅｓ）。次いで、検査開始後であるか否かの判定として、記録動作が開始されているか否かを判定する（ステップＳ２０１）。記録動作開始前の場合であれば（ステップＳ２０１：Ｎｏ）、アンテナ外れがあったとしても正常であり、ユーザに対する警告を要しないため、表示部１５による警告は行わないように制御する（ステップＳ２０２）。
【００３６】
一方、記録動作開始後の場合であれば（ステップＳ２０１：Ｙｅｓ）、記録動作開始時にタイマ２２をスタートさせる（ステップＳ２０３）。そして、接続状態検出部Ｃ３による検出結果を参照することで、アンテナＡ１〜Ａｎの筐体部２０が非接続状態（アンテナ外れ状態）になっているか否かを判定する（ステップＳ２０４）。アンテナ外れが生じていない場合は（ステップＳ２０４：Ｎｏ）、正常な状態であり、ユーザに対する警告を要しないため、表示部１５による警告は行わないように制御する（ステップＳ２０５）。アンテナ外れが生じていた場合は（ステップＳ２０４：Ｙｅｓ）、タイマ２２の計時時間を参照し、記録動作開始後所定時間が経過しているか否かを判定する（ステップＳ２０６）。所定時間経過前であれば（ステップＳ２０６：Ｎｏ）、本来の検査中であって、アンテナ外れが生じた異常な状態であり、「アンテナが外れています。接続し直してください」等の表示部１５の警告表示による警告を発するように表示部１５を動作制御する（ステップＳ２０７）。これにより、ユーザ（被検体１や医師あるいは看護師等）は、アンテナＡ１〜Ａｎの筐体部２０を受信本体ユニット２ｂの接続部１９に接続し直す等の適正な対応を迅速に採ることができ、アンテナ外れが生じた場合のデータ損失を極力少なく抑えることができる。
【００３７】
一方、アンテナ外れが生じていたとしても（ステップＳ２０４：Ｙｅｓ）、記録動作開始後に所定時間が経過していた場合には（ステップＳ２０６：Ｙｅｓ）、既にカプセル型内視鏡３が体腔外に排出され、体腔内画像データの取得が不要となり、ユーザに対する警告を要しないため、表示部１５による警告は行わないように制御する（ステップＳ２０８）。
【００３８】
（実施の形態３）
本発明の実施の形態３を、図６を参照して説明する。図６は、本実施の形態のアンテナ外れ時の警告制御例を示す概略フローチャートである。本実施の形態は、携帯型記憶媒体５に代えて、受信本体ユニット２ｂがハードディスク等の内蔵型の記録装置を備え、表示装置４との間のデータの受け渡しを、受信本体ユニット２ｂと表示装置４との接続により行う形式への適用例を示す。
【００３９】
実施の形態１では、記録動作開始後にアンテナ外れが検出された場合に警告を発するので、たとえば、検査終了後にデータを転送するために受信本体ユニット２ｂと表示装置４とを接続した場合、受信本体ユニット２ｂの電源スイッチがオンであればアンテナを外してしまうと、警告が発せられる。しかしながら、この段階では、既に検査終了後であり、アンテナ外れがあっても警告を発する必要はない。逆に、アンテナＡ１〜Ａｎの筐体部２０を外して、受信本体ユニット２ｂと表示装置４との接続を容易にする必要がある。
【００４０】
そこで、本実施の形態では、データ転送のために受信本体ユニット２ｂと表示装置４とが接続された場合には、アンテナ外れが生じても警告を発しないようにしたものである。この処理は、受信装置２（受信本体ユニット２ｂ）の電源スイッチが投入されている状況で実行される（ステップＳ３００：Ｙｅｓ）。次いで、検査開始後であるか否かの判定として、記録動作が開始されているか否かを判定する（ステップＳ３０１）。記録動作開始前の場合であれば（ステップＳ３０１：Ｎｏ）、アンテナ外れがあったとしても正常であり、ユーザに対する警告を要しないため、表示部１５による警告は行わないように制御する（ステップＳ３０２）。
【００４１】
一方、記録動作開始後の場合であれば（ステップＳ３０１：Ｙｅｓ）、接続状態検出部Ｃ３による検出結果を参照することで、アンテナＡ１〜Ａｎの筐体部２０が非接続状態（アンテナ外れ状態）になっているか否かを判定する（ステップＳ３０３）。アンテナ外れが生じていない場合は（ステップＳ３０３：Ｎｏ）、正常な状態であり、ユーザに対する警告を要しないため、表示部１５による警告は行わないように制御する（ステップＳ３０４）。アンテナ外れが生じていた場合は（ステップＳ３０３：Ｙｅｓ）、受信本体ユニット２ｂが表示装置４と接続されているか否かを判定する（ステップＳ３０５）。この判定は、たとえば両者を接続するＵＳＢ端子の状況で判定すればよい。表示装置４が接続されていなければ（ステップＳ３０５：Ｎｏ）、本来の検査中であって、アンテナ外れが生じた異常な状態であり、「アンテナが外れています。接続し直してください」等の表示部１５の警告表示による警告を発するように表示部１５を動作制御する（ステップＳ３０６）。これにより、ユーザ（被検体１や医師あるいは看護師等）は、アンテナＡ１〜Ａｎの筐体部２０を受信本体ユニット２ｂの接続部１９に接続し直す等の適正な対応を迅速に採ることができ、アンテナ外れが生じた場合のデータ損失を極力少なく抑えることができる。
【００４２】
一方、アンテナ外れが生じていたとしても（ステップＳ３０３：Ｙｅｓ）、表示装置４が接続されている場合には（ステップＳ３０５：Ｙｅｓ）、既に検査終了済みであり、ユーザに対する警告を要しないため、表示部１５による警告は行わないように制御する（ステップＳ３０７）。
【図面の簡単な説明】
【００４３】
【図１】本発明の実施の形態１に係る無線型被検体内情報取得システムの全体構成を示す模式図である。
【図２】受信装置の外観の概略を示す模式図である。
【図３】受信装置の構成例を示す概略ブロック図である。
【図４】実施の形態１のアンテナ外れ時の警告制御例を示す概略フローチャートである。
【図５】本発明の実施の形態２のアンテナ外れ時の警告制御例を示す概略フローチャートである。
【図６】本発明の実施の形態３のアンテナ外れ時の警告制御例を示す概略フローチャートである。
【符号の説明】
【００４４】
１  被検体
２  受信装置
２ａ  アンテナユニット
２ｂ  受信本体ユニット
３  カプセル型内視鏡
４  表示装置
５  携帯型記録媒体
１５  表示部
２２  タイマ
【図１】
0004398414.tif 000002
【図２】
0004398414.tif 000003
【図３】
0004398414.tif 000004
【図４】
0004398414.tif 000005
【図５】
0004398414.tif 000006
【図６】
0004398414.tif 000007